(57)【要約】【課題】新規契約の際に携帯端末の加入者認証モジュールに格納されるべき加入者識別番号を設定すること。【解決手段】加入者認証モジュールは、接続用情報が設定されていない場合に、仮の接続用情報を生成する接続用情報生成部と、携帯端末から受信した接続用情報を設定する接続用情報設定部とを有する。携帯端末は、加入者情報管理装置に、仮の接続用情報を含む接続用情報を送信する接続用情報送信部と、加入者情報管理装置から接続用情報に対する応答を受信する接続用情報応答受信部と、加入者認証モジュールに、該応答を送信する接続用情報送信部とを有する。加入者情報管理装置は、携帯端末により送信された接続用情報に仮の接続用情報が含まれる場合に、加入者認証モジュールに設定されるべき接続用情報を選択する接続用情報選択部と、携帯端末に、選択された接続用情報を含む応答を送信する接続用情報送信部とを有する。【選択図】図１
2010177792.tif 000002
【特許請求の範囲】
【請求項１】
加入者情報管理装置と、該加入者情報管理装置が接続される移動体通信網に接続可能な端末装置に装着される加入者認証モジュールとを有する無線通信システムであって、
前記加入者認証モジュールは、
当該加入者認証モジュールに接続用情報が設定されているかを判定する接続用情報設定判定部と、
前記接続用情報設定判定部により接続用情報が設定されていないと判定された場合に、仮の接続用情報を生成する接続用情報生成部と、
前記携帯端末から受信した応答に含まれる接続用情報を設定する接続用情報設定部と
を有し、
前記携帯端末は、
前記加入者情報管理装置に、前記接続用情報生成部により生成された仮の接続用情報を含む接続用情報を送信する接続用情報送信部と、
前記加入者情報管理装置から前記接続用情報送信部により送信された接続用情報に対する応答を受信する接続用情報応答受信部と、
前記加入者認証モジュールに、前記接続用情報応答受信部により受信された応答を送信する接続用情報送信部と
を有し、
前記加入者情報管理装置は、
前記携帯端末により送信された接続用情報に基づいて、該接続用情報に仮の接続用情報が含まれるかを判定する仮接続用情報判定部と、
前記仮接続用情報判定部により仮の接続用情報が含まれると判定された場合に、前記加入者認証モジュールに設定されるべき接続用情報を選択する接続用情報選択部と、
前記携帯端末に、前記接続用情報選択部により選択された接続用情報を含む応答を送信する接続用情報送信部と
を有することを特徴とする無線通信システム。
【請求項２】
請求項１に記載の無線通信システムにおいて、
前記接続用情報には、国際移動加入者識別IDが含まれ、
前記接続用情報生成部は、該国際移動加入者識別IDにおいて、設定可能な桁を生成することにより、仮の接続用情報を生成することを特徴とする無線通信システム。
【請求項３】
請求項２に記載の無線通信システムにおいて、
仮の接続用情報として生成可能な国際移動加入者識別IDの範囲が設定され、
前記接続用情報生成部は、該範囲に含まれる仮の接続用情報を生成し、
前記接続用情報選択部は、前記範囲以外から前記加入者認証モジュールに設定されるべき接続用情報を選択することを特徴とする無線通信システム。
【請求項４】
請求項１ないし３のいずれか１項に記載の無線通信システムにおいて、
前記接続用情報送信部は、ショートメッセージサービス機能により、前記接続用情報を送信することを特徴とする無線通信システム。
【請求項５】
加入者情報管理装置と、該加入者情報管理装置が接続される移動体通信網に接続可能な端末装置に装着される加入者認証モジュールとを有する無線通信システムにおける方法であって、
前記加入者認証モジュールは、
当該加入者認証モジュールに接続用情報が設定されているかを判定する接続用情報設定判定ステップと、
前記接続用情報設定判定ステップにより接続用情報が設定されていないと判定された場合に、仮の接続用情報を生成する接続用情報生成ステップと、
前記携帯端末から受信した応答に含まれる接続用情報を設定する接続用情報設定ステップと
を有し、
前記携帯端末は、
前記加入者情報管理装置に、前記接続用情報生成部により生成された仮の接続用情報を含む接続用情報を送信する接続用情報送信ステップと、
前記加入者情報管理装置から前記接続用情報送信ステップにより送信された接続用情報に対する応答を受信する接続用情報応答受信ステップと、
前記加入者認証モジュールに、前記接続用情報応答受信ステップにより受信された応答を送信する接続用情報送信ステップと
を有し、
前記加入者情報管理装置は、
前記携帯端末により送信された接続用情報に基づいて、該接続用情報に仮の接続用情報が含まれるかを判定する仮接続用情報判定ステップと、
前記仮接続用情報判定ステップにより仮の接続用情報が含まれると判定された場合に、前記加入者認証モジュールに設定されるべき接続用情報を選択する接続用情報選択ステップと、
前記携帯端末に、前記接続用情報選択ステップにより選択された接続用情報を含む応答を送信する接続用情報送信ステップと
を有することを特徴とする方法。
【発明の詳細な説明】
【技術分野】
【０００１】
本発明は、加入者情報管理装置と、該加入者情報管理装置が接続される移動体通信網に接続可能な端末装置に装着される加入者認証モジュールとを有する無線通信システム及び方法に関する。
【背景技術】
【０００２】
GSM(Global  System  for  Mobile  Communications)やIMT-2000(International  Mobile  Telecommunications-2000)においては、移動通信網を管理するネットワーク事業者が発行する加入者認証モジュールを携帯端末に装着することにより、移動通信サービスの提供がなされる。加入者認証モジュールは、GSMではSIM(Subscriber  Identity  Module)と呼ばれ、IMT-2000ではUSIM(Universal  Subscriber  Identity  Module)と呼ばれる。また、加入者認証モジュールはUIM(User  Identity  Module)と呼ばれることもある。
【０００３】
加入者認証モジュールは、一般的にはプラグインを追加できる接触型ICカードである。加入者認証モジュールは、携帯端末と移動体通信網との接続に必要な国際移動加入者識別番号(IMSI:  International  Mobile  Subscriber  Identity）や位置情報などの接続用情報を格納している。そして、加入者認証モジュールは、携帯端末の電源がオンとなったときに入力されるPIN(Personal  Identification  Number)コードが正当である場合に、携帯端末側に接続用情報を出力する。
【先行技術文献】
【非特許文献】
【０００４】
【非特許文献１】3GPP  TS31.111  V8.3.0
【非特許文献２】ETSI  TS102.221
【発明の概要】
【発明が解決しようとする課題】
【０００５】
ICカードベンダーの製造事業所又は店舗におけるオンライン処理により、接続用情報が加入者認証モジュールに登録される。ICカードベンダーの製造事業所により、接続用情報が加入者認証モジュールに登録される場合には、接続用情報のうち、国際移動加入者識別番号が加入者認証モジュールに登録される（半黒状態、ROM状態）。店舗におけるオンライン処理により、接続用情報が加入者認証モジュールに登録される場合には、顧客管理システムによるオンライン処理により、国際移動加入者識別番号が払い出される。従って、接続用情報を加入者認証モジュールに登録できない場所において携帯端末の開通処理を行う場合には、予め接続用情報を登録した加入者認証モジュールを用意する必要がある。
【０００６】
しかし、予め接続用情報を登録した加入者認証モジュールを用意する場合には、払い出しされた接続用情報の数によっては、接続用情報が枯渇する問題が生じることも予想される。接続用情報が枯渇する問題を回避するには、回線開通の度に国際移動加入者識別番号を生成し、払い出すのが好ましい。
【０００７】
そこで、本発明は上述した問題点に鑑みてなされたものであり、その目的は、新規契約の際に携帯端末の加入者認証モジュールに格納されるべき加入者識別番号を設定できる無線通信システムを提供することにある。
【課題を解決するための手段】
【０００８】
上記課題を解決するため、本無線通信システムは、
加入者情報管理装置と、該加入者情報管理装置が接続される移動体通信網に接続可能な端末装置に装着される加入者認証モジュールとを有する無線通信システムであって、
前記加入者認証モジュールは、
当該加入者認証モジュールに接続用情報が設定されているかを判定する接続用情報設定判定部と、
前記接続用情報設定判定部により接続用情報が設定されていないと判定された場合に、仮の接続用情報を生成する接続用情報生成部と、
前記携帯端末から受信した応答に含まれる接続用情報を設定する接続用情報設定部と
を有し、
前記携帯端末は、
前記加入者情報管理装置に、前記接続用情報生成部により生成された仮の接続用情報を含む接続用情報を送信する接続用情報送信部と、
前記加入者情報管理装置から前記接続用情報送信部により送信された接続用情報に対する応答を受信する接続用情報応答受信部と、
前記加入者認証モジュールに、前記接続用情報応答受信部により受信された応答を送信する接続用情報送信部と
を有し、
前記加入者情報管理装置は、
前記携帯端末により送信された接続用情報に基づいて、該接続用情報に仮の接続用情報が含まれるかを判定する仮接続用情報判定部と、
前記仮接続用情報判定部により仮の接続用情報が含まれると判定された場合に、前記加入者認証モジュールに設定されるべき接続用情報を選択する接続用情報選択部と、
前記携帯端末に、前記接続用情報選択部により選択された接続用情報を含む応答を送信する接続用情報送信部と
を有する。
【０００９】
本方法は、
加入者情報管理装置と、該加入者情報管理装置が接続される移動体通信網に接続可能な端末装置に装着される加入者認証モジュールとを有する無線通信システムにおける方法であって、
前記加入者認証モジュールは、
当該加入者認証モジュールに接続用情報が設定されているかを判定する接続用情報設定判定ステップと、
前記接続用情報設定判定ステップにより接続用情報が設定されていないと判定された場合に、仮の接続用情報を生成する接続用情報生成ステップと、
前記携帯端末から受信した応答に含まれる接続用情報を設定する接続用情報設定ステップと
を有し、
前記携帯端末は、
前記加入者情報管理装置に、前記接続用情報生成部により生成された仮の接続用情報を含む接続用情報を送信する接続用情報送信ステップと、
前記加入者情報管理装置から前記接続用情報送信ステップにより送信された接続用情報に対する応答を受信する接続用情報応答受信ステップと、
前記加入者認証モジュールに、前記接続用情報応答受信ステップにより受信された応答を送信する接続用情報送信ステップと
を有し、
前記加入者情報管理装置は、
前記携帯端末により送信された接続用情報に基づいて、該接続用情報に仮の接続用情報が含まれるかを判定する仮接続用情報判定ステップと、
前記仮接続用情報判定ステップにより仮の接続用情報が含まれると判定された場合に、前記加入者認証モジュールに設定されるべき接続用情報を選択する接続用情報選択ステップと、
前記携帯端末に、前記接続用情報選択ステップにより選択された接続用情報を含む応答を送信する接続用情報送信ステップと
を有する。
【発明の効果】
【００１０】
開示の無線通信システム及び方法によれば、新規契約の際に携帯端末の加入者認証モジュールに格納されるべき加入者識別番号を設定できる。
【図面の簡単な説明】
【００１１】
【図１】本実施例に従ったシステムを示す機能ブロック図である。
【図２】本実施例に従ったIMSIに割当てられる帯域を示す説明図である。
【図３】本実施例に従った加入者情報管理サーバに含まれるデータベースの一例を示す説明図である。
【図４】本実施例に従ったシステムの動作を示すシーケンス図である。
【図５】本実施例に従ったシステムの動作を示すシーケンス図である。
【図６】本実施例に従ったシステムの動作を示すフロー図である。
【図７】本実施例に従ったシステムの動作を示すフロー図である。
【発明を実施するための形態】
【００１２】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
（無線通信システム）
図１は、本実施例に従った無線通信システムを示す。
【００１３】
本無線通信システムでは、携帯端末に挿入される加入者認証モジュールは回線開通の際に、仮の国際移動加入者識別ID(IMSI:  International  Mobile  Subscriber  Identity)（以下、仮IMSIと呼ぶ）を生成する。携帯端末は、該仮IMSIにより加入者情報管理サーバに対して位置登録を試みる。加入者情報管理サーバは、該仮IMSIが有効であると判定した場合には位置登録処理を継続し、有効であると判定されない場合には位置登録処理を拒否する。加入者情報管理サーバは、仮IMSIが有効であると判定した場合には、実際に加入者認証モジュールに設定されるべきIMSI（以下、本IMSIと呼ぶ）を払い出し、本IMSIを携帯端末に無線送信する。携帯端末は本IMSIを加入者認証モジュールに送信する。加入者認証モジュールは、本IMSIに、仮IMSIを書き換える。
【００１４】
本無線通信システムでは、携帯端末の回線開通処理の際に、加入者認証モジュールに本IMSIを書き込む。携帯端末の回線開通処理の際に加入者認証モジュールにIMSIを書き込むことにより、予めIMSIを払い出し、該IMSIを登録した加入者認証モジュールを用意する必要がない。従って、実際には活用（使用）されていないIMSIの払い出しを削減できるため、IMSIが枯渇する問題を回避できる。本無線通信システムでは、加入者認証モジュールに対して開通目的のためにIMSIを登録するなどの真に必要な場合にリアルタイムにIMSIの払い出しを行う。
【００１５】
本無線通信システム１０００は、顧客システム１００と、加入者情報管理サーバ２０２と、発行解約受付サーバ２０４と、ショートメッセージサービス(SMS:  Short  Message  Service)サーバ（以下、SMSサーバと呼ぶ）２０６と、携帯端末３００、加入者認証モジュール４００とを有する。
（顧客システム）
顧客システム１００は、顧客端末１０２と、顧客情報管理サーバ１０４と、ICカードリーダライタ１０６とを有する。
【００１６】
ICカードリーダライタ１０６は、顧客端末１０２による命令に従って、加入者認証モジュール４００から本IMSIを読み出す。ICカードリーダライタ１０６は、本IMSIを顧客端末１０２に入力する。
【００１７】
顧客端末１０２は、顧客情報管理サーバ１０４及びICカードリーダライタ１０６と接続される。顧客端末１０２は、顧客情報と共に、ICカードリーダライタ１０６により入力された本IMSIを顧客情報管理サーバ１０４に入力する。
【００１８】
顧客情報管理サーバ１０４は、加入者情報管理サーバ２０２と接続される。顧客情報管理サーバ１０４は、顧客情報を管理する。例えば、顧客情報管理サーバ１０４は、顧客情報と、本IMSIと、電話番号とを対応付けて格納するようにしてもよい。
【００１９】
加入者情報管理サーバ２０２、発行解約受付サーバ２０４、及びSMS(Short  Message  Service)サーバ２０６は、移動体通信網２００に接続される。
（加入者情報管理サーバ２０２）
加入者情報管理サーバ２０２は、携帯端末３００により無線送信された仮IMSIに基づいて、位置登録処理を行う。加入者情報管理サーバ２０２は、携帯端末３００からの仮IMSIを受信する。加入者情報管理サーバ２０２は、該仮IMSIが払い出されていない場合には位置登録処理を継続する。一方、加入者情報管理サーバ２０２は、該仮IMSIが払い出されている場合には位置登録を拒否する。位置登録処理が継続される場合には、加入者情報管理サーバ２０２は、USAT機能を利用して、USATコマンドにより加入者認証モジュール４００に本IMSIを無線送信する。具体的には、加入者情報管理サーバ２０２は、SMSサーバ２０６に本IMSIを送信する依頼を行う。SMSサーバ２０６は、加入者情報管理サーバ２０２による依頼に従って、携帯端末３００に、本IMSIを無線送信する。携帯端末３００は、本IMSIを受信すると、加入者認証モジュール４００に、該本IMSIを格納する。本IMSIが加入者認証モジュール４００に格納されることにより、加入者認証モジュール４００の記憶部４０４のEF_IMSIの値が本IMSIに更新される。
【００２０】
USAT機能は、3GPP  TS31.111で規定されている標準機能である。USATコマンドは、ETSI(European  Telecommunications  Standards  Institute)  TS102.221で規定されている。
【００２１】
USATコマンドには、ターミナルプロファイル(TERMINAL  PROFILE)、エンベロップ(ENVELOPE)、フェッチ(FETCH)、ターミナルレスポンス(TERMINAL  RESPONSE)が含まれる。TERMINAL  PROFILEは、携帯端末３００が、USAT機能に関連するコマンドのうちサポートするコマンドを加入者認証モジュール４００に通知するためのコマンドである。TERMINAL  PROFILEは、通常は、携帯端末３００がオン／オフされる際に発行される。ENVELOPEは、移動体通信網２００からSMSとして受信したデータ列を加入者認証モジュール４００に伝達するためのコマンドである。該データ列には、任意の3G(3rd  generation)コマンド、2G(2nd  generation)コマンドやプロアクティブコマンドなどが格納されてもよい。FETCHは、プロアクティブコマンドを加入者認証モジュール４００から携帯端末３００に発行するために使用されるコマンドである。TERMINAL  RESPONSEは、プロアクティブコマンドの実行結果を携帯端末３００から加入者認証モジュール４００に伝達する際に発行される。
【００２２】
プロアクティブコマンドは、3GPP  TS31.111で規定され、加入者認証モジュール４００から携帯端末３００に対して発行するコマンドである。該プロアクティブコマンドにより、加入者認証モジュール４００がマスターとなり、携帯端末３００を制御することが可能となる。プロアクティブコマンドは、ディスプレイテキスト(DISPLAY  TEXT)、プレイトーン(PLAY  TONE)、リフレッシュ(REFRESH)、センドSMS(SEND  SMS)が含まれる。DISPLAY  TEXTは、携帯端末３００のディスプレイ上にテキストメッセージやアイコンの表示を行う。PLAY  TONEは、移動端末３００に音の鳴動を行わせる。PLAY  TONEでは、音色や鳴動時間などを指定できる。REFRESHは、加入者認証モジュール内のファイル情報、ファイル状態に変更があったときに発行される。REFRESHにより、携帯端末３００のキャッシュ情報を更新できる。SEND  SMSは、加入者認証モジュール４００から携帯端末３００を経由して移動体通信網２００までデータを送信できる。SEND  SMSは、コマンド処理結果の通知などに利用できる。ショートメッセージサービス(SMS)は、主に携帯端末同士でテキストベースの短い文章を送受信するサービスである。携帯端末の制御用信号を送受信することにも用いられる。
【００２３】
図２は、IMSIに割当てられる帯域を示す。
【００２４】
本システムでは、IMSIに割当てられる帯域が、仮IMSIに割当てられる帯域と本IMSIに割当てられる帯域に分割されてもよい。すなわち、仮IMSIに割当てられる数値範囲と本IMSIに割当てられる数値範囲が予め指定される。例えば、仮IMSIに割当てられる帯域として440100000000001〜440100999999999が用意され、本IMSIに割当てられる帯域として440101000000000〜440109999999999が用意されてもよい。15桁のIMSIでは、左から5桁は国コード(MCC:  Mobile  Country  Code)及びネットワークコード(MNC:  Mobile  Network  Code)を示し、左から6桁〜15桁は加入者識別ID(MSIN:  Mobile  Subscriber  Identification  Number)を示す。具体的には、国コードは左から0〜2桁目で示され、日本は440である。ネットワークコードは左から3〜4桁目で示される。ネットワークコードは通信事業者を示す。
【００２５】
加入者情報管理サーバ２０２は、携帯端末３００により送信されたIMSIが仮IMSIに割当てられる帯域（数値範囲）に含まれるかを判断することにより、該IMSIが仮IMSIであるかを判定する。該IMSIが仮IMSIに割当てられる帯域に含まれる場合、加入者情報管理サーバ２０２は、該IMSIが仮IMSIであると認識し、該IMSIが払い出し済みでないことを確認する。
【００２６】
図３は、加入者情報管理サーバ２０２が有するデータベース（database）の一例を示す。
【００２７】
データベースは、IMSIと電話番号と払い出し済みフラグとが対応付けられて、格納される。データベースは、IMSIを主キーとして、電話番号を関連付ける。データベースは、払い出しが重複して発生しないように、払い出し済みフラグにより払い出し可能であるかを明示する。データベースは、払い出しが済んだ場合には、該払い出しが済んだIMSIに対して払い出し済みフラグを立てる。払い出しが済んだ場合に、該払い出しが済んだIMSIに対して払い出し済みフラグを立てることにより、該払い出しが済んだIMSIを重複して払い出さないようにできる。仮IMSIは、一時的に割当てられるIMSIであるため、仮IMSIには電話番号は関連付けられない。
【００２８】
携帯端末３００が、仮IMSIとして440100000000001を送信することにより位置登録の要求を行った場合について説明する。加入者情報管理サーバ２０２は、受信したIMSIが仮IMSIであるかを判断する。加入者情報管理サーバ２０２は、該IMSIが仮IMSIに割当てられる帯域に含まれることにより、仮IMSIであると判定する。加入者情報管理サーバ２０２は、図３に示されるようなデータベースを参照し、該仮IMSIが払い出し済みであるかを判定する。図３によれば、該仮IMSIは払い出し済みであるため、加入者情報管理サーバ２０２は、該仮IMSIによる位置登録を拒否する。
【００２９】
携帯端末３００が、仮IMSIとして440100999999999を送信することにより位置登録の要求を行った場合について説明する。加入者情報管理サーバ２０２は、受信したIMSIが仮IMSIに割当てられる帯域に含まれることにより、仮IMSIであると判定する。加入者情報管理サーバ２０２は、図３に示されるようなデータベースを参照し、該仮IMSIが払い出し済みであるかを判定する。図３によれば、該仮IMSIは払い出し済みでないため、加入者情報管理サーバ２０２は、該仮IMSIによる位置登録を行う。位置登録後、加入者情報管理サーバ２０２は、該仮IMSIに対して払い出し済みフラグを立てる。また、加入者情報管理サーバ２０２は、該仮IMSIに関連して本IMSIが払い出された場合には、該仮IMSIに対する払い出し済みフラグを払い出されていない状態に戻すようにしてもよい。
（発行解約受付サーバ）
発行解約受付サーバ２０４は、本IMSIの発行受付が行われる場合、又は解約受付が行われる場合に加入者認証モジュール４００と接続される。加入者認証モジュール４００と発行解約受付サーバ２０４との間で接続処理が行われることにより、ユーザに選択可能な電話番号から設定すべき電話番号を選択させることができる。
【００３０】
本IMSIの発行受付が行われる場合について説明する。加入者情報管理サーバ２０２において位置登録処理が継続されている携帯端末３００に格納された加入者認証モジュール４００は、USAT機能により、発行解約受付サーバ２０４と接続する。具体的には、該加入者認証モジュール４００はプロアクティブコマンドを発行し、携帯端末３００は該プロアクティブコマンドに従って発行解約受付サーバ２０４にアクセスする。発行解約受付サーバ２０４は、本IMSIに対応する選択可能な電話番号を加入者認証モジュール４００に送信し、加入者認証モジュール４００は携帯端末３００に、該選択可能な電話番号を表示させるようにしてもよい。そして、ユーザに選択可能な電話番号から設定すべき電話番号を選択させる。発行解約受付サーバ２０４が本IMSIに対応する選択可能な電話番号を加入者認証モジュール４００に送信するために、図３を参照して説明したデータベースは加入者情報管理サーバ２０２と発行解約受付サーバ２０４で共有されてもよいし、同様のデータベースを有するようにしてもよい。
【００３１】
発行解約受付サーバ２０４は、SMSサーバ２０６に、本IMSIに対応する選択可能な電話番号を送信するように依頼する。SMSサーバ２０６は、発行解約受付サーバ２０４による依頼に応じて、SMSにより本IMSIに対応する選択可能な電話番号を携帯端末３００に送信する。携帯端末３００は、受信した選択可能な電話番号を加入者認証モジュール４００に送出する。加入者認証モジュール４００は、プロアクティブコマンドにより携帯端末３００に選択可能な電話番号を表示させる。
【００３２】
ユーザに設定すべき電話番号を選択させるようにした場合、ユーザにより選択された電話番号が発行解約受付サーバ２０４に送信される。発行解約受付サーバ２０４は選択された電話番号を加入者情報管理サーバ２０２に送信する。加入者情報管理サーバ２０２は、発行解約受付サーバ２０４から受信した電話番号に対応するIMSIを本IMSIとして携帯端末３００に送信する。
【００３３】
解約受付が行われる場合について説明する。発行解約受付サーバ２０４は、解約受付が行われる場合には、加入者情報管理サーバ２０２及び加入者認証モジュール４００に保持されている本IMSIを消去する処理を行う。消去するIMSI（本IMSI）が指定され、発行解約受付サーバ２０４は、加入者情報管理サーバ２０２に、該消去するIMSIを消去するように依頼する。加入者情報管理サーバ２０２は、発行解約受付サーバ２０４による依頼に応じて、該IMSIを消去する。また、発行解約受付サーバ２０４は、該消去するIMSIを消去する依頼を含むSMSを送信するようにSMSサーバ２０６に依頼する。SMSサーバ２０６は、発行解約受付サーバ２０４による依頼に応じて、USAT機能により、該IMSIを消去するSMSを送信する。携帯端末３００は、SMSサーバ２０６により送信されたSMSに含まれるIMSIを消去する依頼に従って、加入者認証モジュール４００を初期化する。携帯端末３００は、加入者認証モジュール４００に記憶された内容をアップデートするためのコマンドを送信することにより、EF_IMSIを初期化するようにしてもよい。
【００３４】
また、発行解約受付サーバ２０４は、顧客システムからのアクセスにより起動するようにしてもよい。顧客システムからのアクセスにより起動する場合には、顧客システムにより消去するIMSIが指定される。発行解約受付サーバ２０４は、顧客システムからのアクセスにより起動し、上述したような本IMSIに対応する選択可能な電話番号を送信する処理や解約受付処理を行う。
（SMSサーバ）
SMSサーバ２０６は、加入者情報管理サーバ２０２及び発行解約受付サーバ２０４からの依頼に応じて、携帯端末２００に対してSMSを送信する。SMSには、テキストベースの文章が含まれてもよいし、携帯端末３００の制御用信号が含まれてもよい。
（携帯端末）
携帯端末３００は、無線部３０２と、表示操作部３０４と、制御部３０６と、記憶部３０８と、加入者認証モジュールインターフェース部３１０とを有する。
【００３５】
無線部３０２は、アンテナを介して受信した無線信号を処理する。無線部３０２は、処理した無線信号を制御部３０６に入力する。無線信号には、音声信号、データ信号などが含まれてもよい。また、無線信号には、移動体通信網２００に接続するための基地局（図示なし）が報知する報知情報が含まれてもよい。該基地局が出力する報知情報には、国番号、事業者コード、及び基地局情報が含まれる。国番号は、基地局が位置する（或は、サービスの提供を受ける）国を示す情報であり、事業者コードは通信サービスを提供する通信事業者を示すコード情報であり、基地局情報は複数ある基地局を特定するための識別情報である。
【００３６】
表示操作部３０４は、携帯端末３００を操作する部分であり、テンキーなどの操作手段を有する。また、表示操作部３０４は、表示を行う部分であり、ディスプレイなどの表示手段を有する。表示操作部３０４は、通話を行うための発信処理を行う場合には、電話番号を受け付け、又は発信指示を受け付ける。電話番号及び発信指示を受け付けると、表示操作部３０４は、制御部３０６に該電話番号及び発信指示を行う。制御部３０６は、該電話番号及び発信指示に従って、通信接続処理を行う。表示操作部３０４は、ユーザからの入力を受け付ける。
【００３７】
制御部３０６は、加入者認証モジュール４００に対して初期設定を行う。例えば、携帯端末３００の電源投入が行われた際に、制御部３０６は、加入者認証モジュール４００にアクセスする。具体的には、制御部３０６は、加入者認証モジュール４００の記憶部４０４にアクセスし、該記憶部４０４のEF_IMSIファイルにIMSI（本IMSI）が設定されているかを判定する。制御部３０６は、記憶部４０４に記憶されたIMSIが確定済であることを示すフラグを参照することにより、本IMSIが設定されているかを判定するようにしてもよい。EF_IMSIファイルにIMSIが設定されている場合には、制御部３０６は、該IMSIを読み出す。EF_IMSIファイルにIMSIが設定されていない場合には、制御部３０６は、仮IMSIが生成済みであるかを判定する。制御部３０６は、記憶部４０４に記憶されている仮IMSIが生成済であることを示すフラグを参照することにより、仮IMSIが生成済であるかを判定するようにしてもよい。そして、制御部３０６は、仮IMSIが生成済である場合には、移動体通信網２００を検出し、該仮IMSIを移動体通信網２００に送信することにより位置登録処理（アタッチ処理）を行う。
【００３８】
記憶部３０８は、プログラム記憶エリアと、制御データ記憶エリアと、ユーザデータ記憶エリアとを含む。プログラム記憶エリアには、制御部３０６が制御処理を実行するためのアプリケーションプログラムが格納される。制御データ記憶エリアには、携帯端末３００において生成される制御データ、加入者認証モジュール４００から読み込んだIMSIや加入者情報、端末の位置情報、暗証番号などのセキュリティ情報、データ表示上のフォントデータなどが記憶される。ユーザデータ記憶エリアには、当該携帯端末３００により送受信されたメールなどのユーザデータ、加入者認証モジュール４００から読み込んだ電話帳データや発着信履歴などのデータが記憶される。
【００３９】
加入者認証モジュールインターフェース部３１０は、当該携帯端末３００と加入者認証モジュール４００との間のインターフェースである。
（加入者認証モジュール）
加入者認証モジュール４００は、制御部４０２と、記憶部４０４と、携帯端末インターフェース部４０６とを有する。制御部４０２は、乱数生成器４０８を有する。
【００４０】
携帯端末３００の電源投入が行われた際に、該加入者認証モジュール４００の電源も投入される。制御部４０２は、当該加入者認証モジュール４００の電源が投入されると、初期応答(ATR:  Answer  to  Request)を携帯端末３００に対して行う。そして、制御部４０２は、IMSIが設定されているかを確認する。制御部４０２は、IMSIが設定されていない場合には、所定の方法により仮IMSIを生成する。そして、制御部４０２は、仮IMSIを記憶部４０４に格納する。例えば、制御部４０２は乱数生成器４０８を有し、該乱数生成器４０８により生成された乱数を仮IMSIとしてもよい。乱数生成器４０８は、仮IMSIに割当てられる帯域に該当する15桁のIMSIのうち、国コード及びネットワークコードに該当する5桁を除いた10桁の加入者識別IDを生成する。乱数生成器４０８は、仮IMSIに割当てられる帯域として用意された440100000000001〜440100999999999に含まれるように加入者識別IDを生成する。
【００４１】
記憶部４０４は、ファイルシステムを有する。ファイルシステムには、携帯端末３００の各機能を実行するためのファイルがそれぞれ設定される。該ファイルシステムには、エレメンタリーファイル(EF:  Elementary  File)、マスターファイル(MF:  Master  File)、アプリケーション  ディディケーテッド  ファイル(ADF:  Application  Dedicated  File)、ディディケーテッド  ファイル(DF:  Dedicated  File)が含まれてもよい。
【００４２】
EFは、OSなどのファイルに相当する。MF、ADF、DFは、フォルダ（ディレクトリ）に相当する。制御部４０２は、仮IMSIをEFに格納する。例えば、EF_IMSIファイルを生成し、仮IMSIを格納するようにしてもよい。
【００４３】
携帯端末インターフェース部４０６は、当該加入者認証モジュールと携帯端末３００との間のインターフェースである。
（動作シーケンス（その１））
図４は、仮IMSIが生成され、該仮IMSIから本IMSIが設定される場合のシーケンスを示す。図４では、加入者認証モジュール４００と発行解約受付サーバ２０４との間で接続処理が行われず、加入者情報管理サーバ２０２が、ユーザに設定すべきIMSIを選択する。
【００４４】
携帯端末３００の電源投入が行われた際に、該携帯端末３００に挿入された加入者認証モジュール４００の電源も投入される。
【００４５】
加入者認証モジュール４００は、ATR(Answer  To  Request)を携帯端末３００に送出する（ステップＳ４０２）。該ATRには、当該加入者認証モジュール４００が有する基本能力、例えばデータの伝送ビットレートや転送プロトコルを示す情報が含まれる。制御部４０２は、記憶部４０４に格納された基本情報を、携帯端末インターフェース部４０６を介して携帯端末３００に送出する。携帯端末３００は、加入者認証モジュール４００から送出されたATRに基づいて、該加入者認証モジュール４００の基本能力を認識する。
【００４６】
加入者認証モジュール４００は、仮IMSIを生成するかを判断する（ステップＳ４０４）。制御部４０２は、当該加入者認証モジュール４００におけるIMSIの生成状況を確認し、本IMSIが設定されておらず、且つ仮IMSIが生成されていない場合に、仮IMSIを生成すると判断する。
【００４７】
加入者認証モジュール４００は、仮IMSIを生成すると判断した場合（ステップＳ４０４：ＹＥＳ）、仮IMSIを生成する（ステップ４０６）。制御部４０２は、仮IMSIを生成すると判断した場合、乱数生成器４０８において仮IMSIを生成する。制御部４０２は、仮IMSIを記憶部４０４のEF_IMSIファイルに格納する。
【００４８】
加入者認証モジュール４００は、仮IMSIを生成すると判断しない場合（ステップＳ４０４：ＮＯ）、仮IMSIは生成せずに待機する。加入者認証モジュール４００は、本IMSIが設定されている場合又は、仮IMSIが生成されている場合に仮IMSIを生成すると判断しない。
【００４９】
携帯端末３００は、加入者認証モジュール４００にアクセスし、IMSIを読み出す（ステップＳ４０８、Ｓ４１０）。携帯端末３００の制御部３０６は、加入者認証モジュール３１０を介して、READコマンドを加入者認証モジュール４００に送出する。制御部３０６は、加入者認証モジュール４００の記憶部４０４のEF_IMSIファイルにアクセスし、該EF_IMSIファイルに格納されたIMSIを読み出す。
【００５０】
携帯端末３００は、加入者認証モジュール４００から読み出したIMSI（仮IMSI）により、加入者情報管理サーバ２０２に位置登録を行う（ステップＳ４１２）。携帯端末３００の制御部３０６は、加入認証モジュール４００から読み出したIMSIが仮IMSIであるかを判断するようにしてもよい。具体的には、制御部３０６は、加入認証モジュール４００から読み出したIMSIが仮IMSIに割当てられる帯域に含まれるかを判断することにより、仮IMSIであるかを判断するようにしてもよい。制御部３０６は、加入認証モジュール４００から読み出したIMSIが仮IMSIである場合に、加入者情報管理サーバ２０２に位置登録を行う。制御部３０６は、無線部３０２を介して、加入者情報管理サーバ２０２に、仮IMSIを無線送信する。
【００５１】
加入者情報管理サーバ２０２は、携帯端末３００により送信された仮IMSIの有効性を判定する（ステップＳ４１４）。加入者情報管理サーバ２０２は、携帯端末３００により送信されたIMSIが仮IMSIに割当てられる帯域に含まれるかを判断する。IMSIが仮IMSIに割当てられる帯域に含まれる場合、加入者情報管理サーバ２０２は、該IMSIが仮IMSIであることを認識し、該仮IMSIが払い出し済みでないことを確認することにより有効性を判断する。
【００５２】
仮IMSIが有効でないと判断された場合（ステップＳ４１４：ＮＯ）、加入者情報管理サーバ２０２は該仮IMSIに対する位置登録を拒否する（ステップＳ４１６）。
【００５３】
仮IMSIが有効でないと判断されない場合（仮IMSIが有効であると判断された場合）（ステップＳ４１４：ＹＥＳ）、加入者情報管理サーバ２０２は該仮IMSIに対する位置登録を行う。加入者情報管理サーバ２０２は、携帯端末３００からの位置登録に対する応答を行う（ステップＳ４１８）。該応答には、位置登録が成功した情報が含まれてもよい。
【００５４】
加入者情報管理サーバ２０２は、本IMSIを生成する（ステップＳ４２０）。加入者情報管理サーバ２０２は、該仮IMSIに関連して本IMSIを払い出すことにより生成する。加入者情報管理サーバ２０２は、発行解約受付サーバ２０４に、本IMSIとして選択可能な電話番号を携帯端末３００に送信させるようにしてもよい。
【００５５】
加入者情報管理サーバ２０２は、SMSサーバ２０６に対して、SMSの送信依頼を行う（ステップＳ４２２）。該SMSには、本IMSIが含まれる。
【００５６】
SMSサーバ２０６は、加入者情報管理サーバ２０２によるSMSの送信指示に従って、携帯端末３００に、USAT機能により、該SMSを送信する（ステップＳ４２４）。
【００５７】
携帯端末３００は、SMSサーバ２０６により送信されたSMSを受信する。該SMSは、無線部３０２から制御部３０６に入力される。制御部３０６は、加入者認証モジュールインターフェース部３１０を介して、加入者認証モジュール４００にSMSを送出する（ステップＳ４２６）。例えば、制御部３０６は、アップデートコマンドにより、SMSを加入者認証モジュール４００に送出する。
【００５８】
加入者認証モジュール４００は、SMSに含まれる本IMSIを当該加入者認証モジュール４００に格納する。制御部４０２は、本IMSIに、記憶部４０４のEF_IMSIに格納された仮IMSIをアップデートする。
【００５９】
加入者認証モジュール４００は、携帯端末３００に、EF_IMSIに本IMSIを格納したことを示す応答を行う（ステップＳ４２８）。制御部４０２は、記憶部４０４のEF_IMSIファイルに本IMSIを格納し、携帯端末インターフェース部４０６を介して、該格納が成功したことを示す応答を携帯端末３００に対して行う。
【００６０】
携帯端末３００は、加入者認証モジュール４００から、本IMSIの格納が成功したことを示す応答を受信すると、SMSサーバ２０６に対して、SMSにより指示された処理が成功したことを示すSMS（以下、SMS応答と呼ぶ）を送信する（ステップＳ４３０）。
【００６１】
SMSサーバ２０６は、携帯端末３００から、SMS応答を受信すると、加入者情報管理サーバ２０２に、SMSにより指示された処理が成功したことを示す応答を送信する（ステップＳ４３２）。
（動作シーケンス（その２））
図５は、携帯端末３００の解約を行う場合のシーケンスを示す。
【００６２】
発行解約受付サーバ２０４に対して、消去するIMSI（本IMSI）が指定される。例えば、ユーザが携帯端末３００を操作することにより指定されてもよいし、顧客システム１００からのアクセスにより指定されてもよい。
【００６３】
発行解約受付サーバ２０４は、加入者情報管理サーバ２０２に、指定されたIMSIの削除を依頼する（ステップＳ５０２）。加入者情報管理サーバ２０２は、発行解約受付サーバ２０４からの削除依頼に従って、指定されたIMSIを削除する。加入者情報管理サーバ２０２は、指定されたIMSIを削除したことを示す応答を行う（ステップＳ５１０）。
【００６４】
また、発行解約受付サーバ２０４は、SMSサーバ２０６に、指定されたIMSIの削除の依頼を含むSMSを送信するように指示する（ステップＳ５０４）。
【００６５】
SMSサーバ２０６は、発行解約受付サーバ２０４による指示に応じて、USAT機能により、指定されたIMSIの削除の依頼を含むSMSを携帯端末３００に送信する（ステップＳ５０６）。
【００６６】
携帯端末３００は、SMSサーバ２０６により送信されたSMSを受信する。該SMSは、無線部３０２から制御部３０６に入力される。制御部３０６は、加入者認証モジュールインターフェース部３１０を介して、加入者認証モジュール４００にSMSを送出する（ステップＳ５０８）。制御部３０６は、アップデートコマンドにより、SMSを加入者認証モジュール４００に送出する。
【００６７】
加入者認証モジュール４００は、SMSに含まれる指定されたIMSIを削除する指示に従って、当該加入者認証モジュールに初期化する。制御部４０２は、記憶部４０４のEF_IMSIを初期化する。
【００６８】
加入者認証モジュール４００は、携帯端末３００に、EF_IMSIを初期化したことを示す応答を行う（ステップＳ５１２）。制御部４０２は、記憶部４０４のEF_IMSIファイルを初期化し、携帯端末インターフェース部４０６を介して、該初期化が成功したことを示す応答を携帯端末３００に対して行う。
【００６９】
携帯端末３００は、加入者認証モジュール４００から、初期化が成功したことを示す応答を受信すると、SMSサーバ２０６に対して、SMSにより指示された処理が成功したことを示すSMS（以下、SMS応答と呼ぶ）を送信する（ステップＳ５１４）。
【００７０】
SMSサーバ２０６は、携帯端末３００から、SMS応答を受信すると、加入者情報管理サーバ２０２に、SMSにより指示された処理が成功したことを示す応答を送信する（ステップＳ５１６）。
【００７１】
ユーザが携帯端末３００を操作することにより指定される場合には、コールセンタに電話することにより、解約手続きが行われるようにしてもよい。該解約手続きにより、加入者情報管理サーバ２０２に対して解約のための設定が行われる。
【００７２】
また、解約後は、一定期間該本IMSIの再利用を禁止するようにしてもよい。例えば、該IMSIでの使用の申請を拒否するようにしてもよいし、該IMSIの払い出しをしないようにする。一定期間該本IMSIの再利用を禁止する場合、該IMSIにより申請を行ったユーザに対して解約済であるため使用禁止であることを通知するようにしてもよい。
（動作フロー（その１））
図６は、本実施例に従った加入者認証モジュール４００と、該加入者認証モジュール４００が装着された携帯端末３００の動作を示すフロー図である。
【００７３】
加入者認証モジュール４００は、ATRを生成する（ステップＳ６０２）。制御部４０２は、記憶部４０４に格納された情報に基づいて、ATRを生成し、携帯端末３００に送出する。
【００７４】
加入者認証モジュール４００は、当該加入者認証モジュール４００に格納されるIMSIが確定したことを示す確定フラグがオン（確定したことを示す）であるかを判定する（ステップＳ６０４）。制御部４０２は、記憶部４０４に格納されたIMSIが確定したことを示すフラグを参照することにより、IMSIが確定したことを判定するようにしてもよい。
【００７５】
確定フラグがオンでない場合（ステップＳ６０４：ＮＯ）、加入者認証モジュール４００は、仮IMSIが生成されたことを示す生成フラグがオン（生成したことを示す）であるかを判定する（ステップＳ６０６）。制御部４０２は、記憶部４０４に格納された仮IMSIが生成されたことを示すフラグを参照することにより、仮IMSIが生成されたことを判定するようにしてもよい。
【００７６】
生成フラグがオンでない場合（ステップＳ６０６：ＮＯ）、加入者認証モジュール４００は乱数を生成する（ステップＳ６０８）。生成フラグがオンでないと判定された場合、制御部４０２は乱数生成器４０８に乱数を生成させる。
【００７７】
加入者認証モジュール４００は、生成した乱数が仮IMSIに割り当てられた帯域に含まれないかを判断する。制御部４０２は生成した乱数が、仮IMSIに割り当てられた帯域、上述した例では440100000000001〜440100999999999に含まれないかを判断する（ステップＳ６１０）。
【００７８】
生成した乱数が仮IMSIに割り当てられた帯域に含まれないと判定された場合（ステップＳ６１０：ＹＥＳ）、ステップＳ６０８に戻り、再度乱数を生成する。乱数生成は、生成した乱数が仮IMSIに割り当てられた帯域に含まれるまで継続される。
【００７９】
生成した乱数が仮IMSIに割り当てられた帯域に含まれると判断された場合（ステップＳ６１０：ＮＯ）、加入者認証モジュール４００は生成フラグをオンにする（ステップＳ６１２）。制御部４０２は、記憶部４０４の生成フラグをオンにする。
【００８０】
加入者認証モジュール４００は、生成した乱数に基づいて仮IMSIを生成する。例えば、生成した乱数に国コード及びネットワークコードを付加することにより仮IMSIを生成する。加入者認証モジュール４００は、仮IMSIをEF_IMSIに格納する（ステップＳ６１４）。制御部４０２は、乱数生成器４０８により生成した乱数に基づいて仮IMSIを生成し、該仮IMSIを記憶部４０４に格納されたEF_IMSIファイルに格納する。
【００８１】
一方、ステップＳ６０４において確定フラグがオンである場合（ステップＳ６０４：ＹＥＳ）、ステップＳ６０６において生成フラグがオンである場合（ステップＳ６０６：ＹＥＳ）及びステップＳ６１４においてEF_IMSIに仮IMSIが格納された後、携帯端末３００は位置登録を行う（ステップＳ６１６）。携帯端末３００は、加入者認証モジュール４００に格納された本IMSI又は仮IMSIを読み出し、加入者情報管理サーバ２０２に送信することにより、位置登録を試みる。
（動作フロー（その２））
図７は、本実施例に従ったシステムの動作を示すフロー図である。
【００８２】
図６のステップＳ６１６において説明した位置登録と同様の処理が行われる（ステップＳ７０２）。
【００８３】
加入者情報管理サーバ２０２は、携帯端末３００により送信されたIMSIが仮IMSIであるかを判定する（ステップＳ７０４）。加入者情報管理サーバ２０２は、携帯端末３００により送信されたIMSIが仮IMSIに割当てられる帯域に含まれるかを判断する。
【００８４】
携帯端末３００により送信されたIMSIが仮IMSIである場合（ステップＳ７０４：ＹＥＳ）、加入者情報管理サーバ２０２は該仮IMSIの有効性を判断する（ステップＳ７０６）。加入者情報管理サーバ２０２は、該仮IMSIが既に払い出された仮IMSIと重複するかを判断し、重複している場合に有効でないと判断する。携帯端末３００により送信されたIMSIが仮IMSIでない場合、換言すれば、本IMSIである場合、位置登録を行う。
【００８５】
仮IMSIが重複すると判断された場合（ステップＳ７０６：ＹＥＳ）、加入者情報管理サーバ２０２は、該仮IMSIによる位置登録を拒否する（ステップＳ７０８）。該仮IMSIによる位置登録が拒否されたことにより、加入者情報管理サーバ２０２からの応答が携帯端末３００に対して行われない。加入者認証モジュール４００は、所定の時間経過しても加入者情報管理サーバ２０２からの応答を受信できない場合には、生成した仮IMSIが該加入者情報管理サーバ２０２において重複していると判定されたと判断し、仮IMSIの生成フラグをオフにする。その後、図６のステップＳ６０２に戻り、ATRの生成から行う。
【００８６】
仮IMSIが重複すると判断されない場合（ステップＳ７０６：ＮＯ）、加入者情報管理サーバ２０２は該仮IMSIに対する位置登録を行う。加入者情報管理サーバ２０２は、携帯端末３００からの位置登録に対する応答を行う。該応答には、位置登録が成功した情報が含まれてもよい。
【００８７】
加入者情報管理サーバ２０２は、本IMSIを生成する（ステップＳ７１２）。加入者情報管理サーバ２０２は、該仮IMSIに関連して本IMSIを払い出すことにより生成する。
【００８８】
加入者情報管理サーバ２０２は、SMSサーバ２０６に対して、SMSの送信依頼を行う（ステップＳ７１４）。該SMSには、本IMSIが含まれる。SMSサーバ２０６は、加入者情報管理サーバ２０２による本IMSIの送信指示に従って、携帯端末３００に、USAT機能により、該SMSを送信する。
【００８９】
携帯端末３００は、SMSサーバ２０６により送信されたSMSを受信する。該SMSは、無線部３０２から制御部３０６に入力される。制御部３０６は、加入者認証モジュールインターフェース部３１０を介して、加入者認証モジュール４００にSMSを送出する。制御部３０６は、アップデートコマンドにより、SMSを加入者認証モジュール４００に送出する。
【００９０】
加入者認証モジュール４００は、当該加入者認証モジュールに、SMSに含まれる本IMSIを格納する（ステップＳ７１６）。制御部４０２は、本IMSIに、記憶部４０４のEF_IMSIに格納された仮IMSIをアップデートする。
【００９１】
加入者認証モジュール４００は、生成フラグをオフにする（ステップＳ７１８）。制御部４０２は、記憶部４０４に格納された仮IMSIフラグをオフにする。
【００９２】
加入者認証モジュール４００は、確定フラグをオンにする（ステップＳ７２０）。制御部４０２は、記憶部４０４に格納されたIMSI確定フラグをオンにする。
【００９３】
本実施例において、乱数生成器４０８は、仮IMSIに割当てられる帯域に該当する15桁のIMSIのうち、国コード及びネットワークコードと、該ネットワークコードに続く（隣接する）１桁の計6桁を除いた9桁の加入者識別IDを生成するようにしてもよい。該１桁は０に固定される。国コード及びネットワークコードと、該ネットワークコードに続く１桁を除いた9桁の加入者識別IDを生成し、該１桁を０に固定することにより、生成された加入者識別IDは、常に仮IMSIに割当てられる帯域に含まれることになるため、加入者認証モジュール４００において、生成した加入者識別IDが仮IMSIであるかを判定する処理を省略できる。
【００９４】
本実施例によれば、加入者認証モジュールは、当該加入者認証モジュールに接続用情報が設定されていない場合に、仮の接続用情報を生成する。仮の接続用情報を生成することにより、予めIMSIを加入者認証モジュールに設定する必要はない。従って、接続用情報が枯渇する問題を回避することができる。
【００９５】
携帯端末は、加入者情報管理サーバ（装置）に、加入者認証モジュールにより生成された仮の接続用情報を無線送信し、該加入者情報管理サーバから接続用情報を受信する。そして、端末装置は、加入者認証モジュールに、加入者情報管理サーバから受信した接続用情報を送信する。
【００９６】
加入者認証モジュールは、携帯端末から受信した接続用情報を設定する。携帯端末から受信した接続用情報を設定することにより、新規契約の際に携帯端末の加入者認証モジュールに格納されるべき加入者識別番号を設定できる。
【００９７】
加入者情報管理サーバは、携帯端末により無線送信された接続用情報に基づいて、該接続用情報が仮の接続用情報であるかを判定し、仮の接続用情報であると判定された場合に、加入者認証モジュールに設定されるべき接続用情報を選択する。そして、加入者情報管理サーバは、携帯端末に、選択された接続用情報を送信する。仮の接続用情報であると判定された場合に、加入者認証モジュールに設定されるべき接続用情報を選択することにより、新規契約の際に携帯端末の加入者認証モジュールに格納されるべき加入者識別番号を選択できる。
【００９８】
本実施例によれば、接続用情報には、国際移動加入者識別IDが含まれる。加入者認証モジュールは、該国際移動加入者識別IDにおいて設定可能な桁を生成することにより、仮の接続用情報を生成する。国際移動加入者識別IDにおいて、設定可能な桁を生成することにより、仮IMSIを生成できる。例えば、国際移動加入者識別IDの加入者識別IDに含まれる10桁の数値を生成するようにしてもよいし、9桁の数値を生成するようにしてもよい。
【００９９】
本実施例によれば、仮の接続用情報として生成可能な国際移動加入者識別IDの範囲が設定される。加入者認証モジュールは該範囲に含まれる仮の接続用情報を生成し、加入者情報管理装置は該範囲以外から加入者認証モジュールに設定されるべき接続用情報を選択する。仮の接続用情報として生成可能な国際移動加入者識別IDの範囲に含まれる仮の接続用情報を生成することにより、加入者情報管理装置は、新規契約におけるIMSIの設定の要求であることを認識できる。
【０１００】
本実施例によれば、加入者情報管理装置は、ショートメッセージサービス機能により、接続用情報を送信する。ショートメッセージサービス機能により、接続用情報を送信することにより、携帯端末に本IMSIを通知できる。
【０１０１】
説明の便宜上、発明の理解を促すため具体的な数値例を用いて説明されるが、特に断りのない限り、それらの数値は単なる一例に過ぎず適切な如何なる値が使用されてよい。
【０１０２】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１０３】
１００  顧客システム
１０２  顧客端末
１０４  顧客情報管理サーバ
１０６  ICカードリーダライタ
２００  移動体通信網
２０２  加入者情報管理サーバ
２０４  発行解約受付サーバ
２０６  SMS(Short  Message  Service)サーバ
３００  携帯端末
３０２  無線部
３０４  表示操作部
３０６  制御部
３０８  記憶部
３１０  加入者認証モジュールインターフェース部
４００  加入者認証モジュール
４０２  制御部
４０４  記憶部
４０６  携帯端末インターフェース部
４０８  乱数生成器
【図１】
2010177792.tif 000003
【図２】
2010177792.tif 000004
【図３】
2010177792.tif 000005
【図４】
2010177792.tif 000006
【図５】
2010177792.tif 000007
【図６】
2010177792.tif 000008
【図７】
2010177792.tif 000009